【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
生体内に挿入可能な材料から形成された構造部材からなるアクセスカニューレ（２５０）であって、前記部材は、主直径および遠位端を有する管腔（２５１）を画定するように形作られており、前記管腔は、前記遠位端で開いている、アクセスカニューレ（２５０）と、
電極アレイ（２８，２９０）であって、
折畳み可能または巻込み可能であると共に、折り畳まれたまたは巻き込まれた状態から拡げられたときに折り畳まれていないまたは巻き込まれていない状態に戻ることができる柔軟材料から形成されたフレーム（３２，３５０）であって、前記フレームは、前記アクセスカニューレ管腔の前記主直径よりも大きい幅を有しており、前記フレームは、前記アクセスカニューレ管腔内に配置されるように折り畳まれるかまたは巻き込まれるようになっている、フレーム（３２，３５０）と、
前記フレーム上に配置された少なくとも１つの電極（３６，２９２）と、
を備えている電極アレイ（２８，２９０）と、
を備えており、
前記フレーム（３２，３５０）は、前記フレーム（３２，３５０）の一部であって前記フレームの周囲区域（５３，３２０）から分離されている少なくとも１つのタブ（５５，３１８）を画定するように、さらに形成されており、
前記少なくとも１つの電極（３６，２９２）は、前記少なくとも１つのタブ上に配置されており、
前記フレームが前記アクセスカニューレ管腔（２５１）内に配置されるとき、前記少なくとも１つの電極（３６，２９２）が載置されている前記少なくとも１つのタブ（５５，３１８）は、前記フレーム（３２，３５０）の前記周囲区域（５３，３２０）が折り畳まれるかまたは巻き込まれる程度に対して、より少なく折り畳まれるかまたは巻き込まれるようになっていることを特徴とする、電極アレイおよび展開アセンブリ。
【請求項２】
前記フレーム（３２）は、スロット（５４）を画定するように形成されており、前記スロットは、前記タブを前記フレームの前記周囲区域から分離するために、前記タブに隣接して配置されていることを特徴とする、請求項１に記載の電極アレイおよび展開アセンブリ。
【請求項３】
前記スロット（５４）は、前記少なくとも１つのタブの前後縁を画定するように前記タブの周囲に配置されており、前記前縁および後縁は、互いに向き合っており、
前記フレーム（３２）は、前記少なくとも１つのタブの前記前縁および後縁と交差する、前記フレームの折目（２６２，２６４，２６６，２６８）の周りに折り畳まれるかまたは巻き込まれるようになっていることを特徴とする、請求項２に記載の電極アレイおよび展開アセンブリ。
【請求項４】
前記スロットは、前記少なくとも１つのタブの前記前縁を画定している上区域（５６）と、前記上区域（５６）から延在して、前記少なくとも１つのタブの側縁を画定している側区域（５８）と、前記側区域から前記前区域と平行に延在して、前記タブの前記後縁を画定している底区域（６０）とを有するように形成されていることを特徴とする、請求項２または３に記載の電極アレイおよび展開アセンブリ。
【請求項５】
前記フレーム（３２，３５０）は、金属から形成されており、
非導電性基板（３４，３５４）が、前記少なくとも１つの電極（３６，２９２）が前記基板の上に配置されるように、前記フレームの上に少なくとも部分的に配置されていることを特徴とする、請求項１〜４のいずれか一項に記載の電極アレイおよび展開アセンブリ。
【請求項６】
前記フレーム（３２，３５０）は、複数のタブ（５５，３１８）を形成するように形作られており、前記複数のタブ（５５，３１８）は、互いに離間しており、かつ前記タブの前記縦軸が同一線上にあるように、一直線に並べられており、
前記電極（３６，２９２）は、前記タブ（５５，３１８）の少なくとも２つの上に配置されており、
前記フレームは、前記タブの前記縦軸と少なくとも平行に延在している折目（２６２，２６４，２６８，４４６，４４８）に沿って、折り畳まれるかまたは巻き込まれるようになっていることを特徴とする、請求項１〜５のいずれか一項に記載の電極アレイおよび展開アセンブリ。
【請求項７】
前記フレーム（３２，３５０）は、互いに横方向に離間した複数の列に配置された複数のタブ（５５，３１８）を形成するように、形作られており、前記タブの各列は、互いに縦方向に離間していると共に同一直線上にある縦軸を有するように一直線に並んでいる複数のタブを含んでおり、
前記電極（３６，２９２）は、前記タブの少なくとも２つの上に配置されており、
前記フレーム（３５０）は、前記タブの前記列の１つの前記縦軸に少なくとも平行に延在している少なくとも１つの折目（２６２，２６４，２６６，２６８，４４６，４４８）に沿って折り畳まれるかまたは巻き込まれるようになっていることを特徴とする、請求項１〜６のいずれか一項に記載の電極アレイおよび展開アセンブリ。
【請求項８】
前記電極アレイは、折畳みまたは折曲げを受けない端区域（４３，２９６）を有するように、形作られており、
前記少なくとも１つの電極の作動を調整するための駆動モジュール（４５，２９４）が、折畳みまたは折曲げを受けない前記電極アレイ端区域に取り付けられていることを特徴とする、請求項１〜７のいずれか一項に記載の電極アレイおよび展開アセンブリ。
【請求項９】
前記少なくとも１つの電極は、
導電性ベース層（７６）と、
前記ベース層から上方に延在している複数の導電性ボタン（８６）であって、互いに離間しており、各々が電流を組織に印加するための材料から選択的に位置決めされたヘッドを有している、導電性ボタン（８６）と、
前記導電性ボタン間において前記ベース層の上に配置された絶縁材料の層（７２）であって、前記導電性ボタンの前記ヘッドを露出させる開口（９２）を有している、絶縁材料の層（７２）と、
を備えていることを特徴とする、請求項１〜８のいずれか一項に記載の電極アレイ及び展開アセンブリ。
【請求項１０】
前記電極の少なくとも１つは、
導電性ベース層（２９３）と、
前記ベース層に接合された導電性材料の層（３９６）であって、前記導電性材料の層（３９６）の表面は、前記電極が配置される組織と前記電極との間に界面を形成することになる、導電性材料の層（３９６）と、
前記導電材料の電極層の上に配置された絶縁材料の層（３９８）であって、前記導電性材料の層（３９６）の互いに離間した区域を露出させる開口（３９９）を有している、絶縁材料の層（３９８）と、
を備えていることを特徴とする、請求項１〜８のいずれか一項に記載の電極アレイおよび展開アセンブリ。
【請求項１１】
前記電極アレイ（２８）は、
互いに向き合った前部および後部を有するヘッド（４０）であって、電極が載置された前記タブ（５５）は、前記ヘッド上に配置されており、かつ前記タブのそれぞれの列の縦軸が前記ヘッドの前記前部から前記後部に延在するように配列されており、前記ヘッドは、前記導入具管腔内に配置されるように、巻き込まれるかまたは折り畳まれるようになっている、ヘッド（４０）と、
前記ヘッドから離間した足部（４３）であって、前記電極アレイアセンブリが前記導入具管腔内に配置されるとき、折畳みまたは折曲げを受けないようになっている足部（４３）と、
前記足部に延在している互いに離間した箇所において、前記ヘッドの前記後部から延在している複数の脚部（４１）と、
を有するように形作られていることを特徴とする、請求項１〜１０のいずれか一項に記載の電極アレイおよび展開アセンブリ。
【請求項１２】
前記電極アレイ（２９０）は、
少なくとも２つの互いに離間したブリッジ（３０２，３０４，３０６）であって、前記ブリッジの各々は、前記タブ（３１８）の少なくとも１つを有しており、２つの互いに隣接するブリッジ上の前記タブは、互いに向き合っており、かつ互いに離間しており、前記ブリッジは、少なくとも１つのブリッジが前記ブリッジの第２のものの上に配置されるように折畳み可能または折曲げ可能となるように、一緒に接続されている、ブリッジ（３０２，３０４，３０６）と、
前記ブリッジ間に延在している少なくとも１つのビーム（３２０）であって、前記第１のブリッジが前記第２のブリッジの上に折り畳まれたときに曲がるように、折曲げ可能になっており、かつ前記タブ（３１８）から離間している、少なくとも１つのビーム（３２０）と、
を有するように形作られていることを特徴とする、請求項１〜１０のいずれか一項に記載の電極アレイおよび展開アセンブリ。
【請求項１３】
前記フレーム（３２，３５０）は、超弾性材料から形成されていることを特徴とする請求項１〜１２のいずれか一項に記載の電極アレイおよび展開アセンブリ。
【請求項１４】
前記アクセスカニューレ（２５０）は、遠位端開口（２５２）を有しており、
展開カニューレ（２４０）が、前記アクセスカニューレ（２５０）の前記管腔（２５１）内に配置されており、前記展開カニューレは、管腔（２４２）を有しており、前記アクセスカニューレの前記遠位端開口（２５２）を通って、前記アクセスカニューレの前記管腔（２５１）から拡張することができると共に該管腔（２５１）内に後退することができるようになっており、
前記電極アレイ（２８，２９０）は、前記展開カニューレの前記管腔（２４２）内に配置されるように折り畳まれるかまたは折り曲げられるようになっていることを特徴とする、請求項１〜１３のいずれか一項に記載の電極アレイおよび展開アセンブリ。